(57)【要約】      （修正有）【課題】衣服着用者の腰部から臀部の付近の張り出し（ボリューム）を増加させることができる衣服着用補助具を提供する。【解決手段】衣服を着用する着用者が、着用者の体と衣服との間に装着することで、着用者の腰部から臀部の間の部分の少なくとも一部である対象部分に膨らみを形成するための衣服着用補助具であって、着用者の体に直接又は間接に着脱自在に取り付けられる主ベルト部１３，第１副ベルト部２１，及び第２副ベルト部２６を含む基礎部と、基礎部が体に取り付けられた際、対象部分に面するよう基礎部に取り付けられる少なくとも主パッド部３１を含む膨らみ形成部と、を備える。【選択図】図１
0003201341.tif 000002
【実用新案登録請求の範囲】
【請求項１】
衣服を着用する着用者が、該着用者の体と該衣服との間に装着することで、該着用者の腰部から臀部の間の部分の少なくとも一部である対象部分に膨らみを形成するための衣服着用補助具であって、
該着用者の該体に直接又は間接に着脱自在に取り付けられる基礎部と、
基礎部が該体に取り付けられた際、対象部分に面するよう基礎部に取り付けられる膨らみ形成部と、
を備えてなる、衣服着用補助具。
【請求項２】
膨らみ形成部は、シート体又は板体である第１部材及び第２部材が、第１部材の内面と第２部材の内面とが互いに面し、第１部材の縁部の少なくとも一部と、第２部材の縁部の少なくとも一部と、が互いに取り付けられて形成された袋体である膨らみ形成部袋体を有するものである、請求項１に記載の衣服着用補助具。
【請求項３】
第１部材及び第２部材の少なくとも一方が、膨らみ形成部袋体の厚みを増すように形成されたひだを有するものである、請求項２に記載の衣服着用補助具。
【請求項４】
膨らみ形成部袋体が、第１部材の内面と第２部材の内面との間である内部に通じる開口である袋体開口を有するものである、請求項２又は３に記載の衣服着用補助具。
【請求項５】
膨らみ形成部の厚みを増すように形成されたひだを有する充填物を膨らみ形成部袋体の内部に充填したものである、請求項２乃至４のいずれか１に記載の衣服着用補助具。
【請求項６】
膨らみ形成部の一部又は全部が基礎部に直接的又は間接的に着脱自在に取り付けられるものである、請求項１乃至５のいずれか１に記載の衣服着用補助具。
【請求項７】
膨らみ形成部に面ファスナーの雄部が取り付けられると共に、基礎部に面ファスナーの雌部が取り付けられ、該雄部と該雌部とが係合することで膨らみ形成部が基礎部に着脱自在に取り付けられるものである、請求項６に記載の衣服着用補助具。
【請求項８】
基礎部が前記体に取り付けられた際、前記着用者の真後ろに存する後方膨らみ形成部を膨らみ形成部が含むものである、請求項１乃至７のいずれか１に記載の衣服着用補助具。
【請求項９】
基礎部が前記体に取り付けられた際、後方膨らみ形成部に重なるように基礎部又は後方膨らみ形成部に着脱自在に取り付けられる追加後方膨らみ形成部を膨らみ形成部が含んでなる、請求項８に記載の衣服着用補助具。
【請求項１０】
基礎部が前記体に取り付けられた際、膨らみ形成部が、前記着用者の右又は左のいずれかに存する側方膨らみ形成部を含むものである、請求項１乃至９のいずれか１に記載の衣服着用補助具。
【請求項１１】
基礎部が、前記着用者の前記体に周回され取り付けられる基礎ベルトを含んでなる、請求項１乃至１０のいずれか１に記載の衣服着用補助具。
【請求項１２】
基礎ベルトの周回長さが、少なくとも２以上の異なる値を取り得るものである、請求項１１に記載の衣服着用補助具。
【考案の詳細な説明】
【技術分野】
【０００１】
本考案は、衣服着用補助具に関し、より詳細には、衣服を美しく着用することができる衣服着用補助具に関する。
【背景技術】
【０００２】
衣服を美しく着用することができる衣服着用補助具は、様々なものが提案されてきた（例えば、特許文献１参照）。
特許文献１には、「和服の衿くずれを防止するために使用する着付け補助具を提供する」（特許文献１、発明の詳細な説明中、段落番号０００４）ためになされたもので、具体的には「下端および長じゅばんの後衿の直下に固定できる上端とを有する縦ベルトと、前記縦ベルトと直交する方向に延びる横ベルトであって、そのほぼ中央において前記縦ベルトの下端と接続する横ベルトと、前記縦ベルトを挟んで両側に張り出すように設けられ、前記縦ベルトと前記横ベルトとに固定されている伸縮性の補強布とを備え、前記横ベルトの中央付近には腰当て用のパッドが固定され、前記横ベルトの両端には前記横ベルトの任意の位置に着脱可能な面テープが設けられることを特徴とする着付け補助具。」（特許文献１、請求項１）が開示されており、これによって「まず着付けを開始する前に図３に示すように長じゅばんＪの後衿Ｅの真下に縦ベルト３の上端６を２重縫いで縫いつけて固定する。なお面テープ等を利用して長じゅばんに縦ベルト３を取り付けるようにしてもよい。このように縦ベルト３を長じゅばんＪに縫い付けることにより、胸紐７の位置がほぼ脇の下と同じ高さになり、また横ベルト５の位置がほぼ腰の高さとなる。次に長じゅばんＪの後衿Ｅを、首からこぶし一つ分くらい離れるように衣紋を抜いて形作る（この形は図４を参照）。このとき縦ベルト３を下方へ引きながら衿を形作るようにする。次に縦ベルト３を引き下げた状態でパッド１５を腰にあてがい、両方の取り付けパッド１７を腰の周りに回して、各取り付けパッド１７の面テープ１９を包帯１３に係止して固定する。これにより横ベルト５が腰回りにしっかりと固定され、同時に縦ベルト３が常時下方へ引張られるようになる。従って長じゅばんＪの衿も常時下方へ引張られるようになるから、衣紋を抜いた形状が維持できる。また両方の補強布９もバランスよく下方へ引張られるため、縦ベルト３が左右にずれて衿の形がくずれることもない。」（特許文献１、発明の詳細な説明中、段落番号００１５中段〜００１７）というものが開示されている。
【先行技術文献】
【特許文献】
【０００３】
【特許文献１】特開平１０−３７００２号公報（例えば、要約、段落番号０００１〜０００５、００１５〜００１７、第１図、第３図等）
【考案の概要】
【考案が解決しようとする課題】
【０００４】
確かに、特許文献１に開示された衣服着用補助具（特許文献１では着付け補助具）によれば和服の衿くずれを防止することで、衣服を美しく着用することができる。
しかし、衣服によっては、衣服を着用する着用者の腰部から臀部の付近の張り出し（ボリューム）を増加させた方が美しく着用できる衣服（例えば、洋装のドレス）があるが、かかる衣服を着用する際に、着用者の腰部から臀部の付近の張り出し（ボリューム）を増加させることに、特許文献１に開示された衣服着用補助具（特許文献１では着付け補助具）は何ら寄与しない。
そこで、本考案においては、衣服着用者の腰部から臀部の付近の張り出し（ボリューム）を増加させることができる衣服着用補助具を提供することを目的とする（衣服着用者の腰部から臀部の付近の張り出し（ボリューム）を増加させることで衣服を美しく着用することができる。）。
【課題を解決するための手段】
【０００５】
本考案の衣服着用補助具（以下、「本補助具」という。）は、衣服を着用する着用者が、該着用者の体と該衣服との間に装着することで、該着用者の腰部から臀部の間の部分の少なくとも一部である対象部分に膨らみを形成するための衣服着用補助具であって、該着用者の該体に直接又は間接に着脱自在に取り付けられる基礎部と、基礎部が該体に取り付けられた際、対象部分に面するよう基礎部に取り付けられる膨らみ形成部と、を備えてなる、衣服着用補助具である。
【０００６】
本補助具は、衣服を着用する着用者が、該着用者の体と該衣服との間に装着する衣服着用補助具である。本補助具を装着することで、該着用者の腰部から臀部の間の部分の少なくとも一部である対象部分に膨らみを形成することができ、それによって該着用者の腰部から臀部の付近の張り出し（ボリューム）を増加させて衣服を美しく着用することができるものである。
本補助具は、基礎部と、基礎部に取り付けられる膨らみ形成部と、を備えてなる。
基礎部は、該着用者の該体に直接（的）又は間接（的）に着脱自在に取り付けられる。ここで直接とは、別のものを介さずに該体に基礎部が取り付けられることをいい、間接とは、別のものを介して該体に基礎部が取り付けられることをいう。
膨らみ形成部は、基礎部が該体に直接又は間接に取り付けられた際、対象部分に面するよう基礎部に取り付けられる。この膨らみ形成部が対象部分（腰部から臀部の間の部分の少なくとも一部）に面することで、膨らみ形成部の膨らみ（体積）によって対象部分に膨らみを形成することができ、それによって該着用者の腰部から臀部の付近の張り出し（ボリューム）を増加させて衣服を美しく着用することができる。
【０００７】
本補助具は、膨らみ形成部は、シート体又は板体である第１部材及び第２部材が、第１部材の内面と第２部材の内面とが互いに面し、第１部材の縁部の少なくとも一部と、第２部材の縁部の少なくとも一部と、が互いに取り付けられて形成された袋体である膨らみ形成部袋体を有するもの（以下、「袋体本補助具」という。）であってもよい。
膨らみ形成部袋体は、シート体又は板体（柔軟であり変形可能）である第１部材及び第２部材を含んでなり、この第１部材の内面と第２部材の内面とが互いに面し、第１部材の縁部の少なくとも一部と、第２部材の縁部の少なくとも一部と、が互いに取り付けられることで形成された袋体である。ここにいう「シート体又は板体」とは、曲面又は平面に沿った部材（軟質であり変形可能）をいい、両主表面間を連絡するような開口を有するものであってもよく、網状やネット状のものも含む。
このように膨らみ形成部が膨らみ形成部袋体を有することで、膨らみ形成部袋体が対象部分にうまく面する（シート体又は板体である第１部材及び第２部材の外面は曲面又は平面であるので、該外面が対象部分に安定して面することができる。）と共に袋体の厚みによって対象部分に所望程度の膨らみを確実に形成することができるので、対象部分に安定して所望の膨らみを形成することができる。
【０００８】
袋体本補助具の場合、第１部材及び第２部材の少なくとも一方が、膨らみ形成部袋体の厚みを増すように形成されたひだを有するものであってもよい。
第１部材及び第２部材はシート体又は板体であり、その厚みのみで膨らみ形成部袋体が対象部分に十分な膨らみを形成することができないことがある（シート体又は板体の厚みはそれほど大きくないことが通常である。）。このためシート体又は板体の第１部材及び第２部材の少なくとも一方（一方又は両方）に、ひだ（畝、谷）を形成することで、膨らみ形成部袋体の厚みを増して対象部分に十分な膨らみを形成するようにしてもよい。
【０００９】
袋体本補助具の場合、膨らみ形成部袋体が、第１部材の内面と第２部材の内面との間である内部に通じる開口である袋体開口を有するものであってもよい。
こうすることで第１部材及び第２部材を含む膨らみ形成部袋体の厚みが十分でない場合には、袋体開口から該内部に充填物を装入し充填することによって該厚みを増加させ、膨らみ形成部袋体により対象部分に十分な膨らみを形成することができる。
【００１０】
袋体本補助具の場合、膨らみ形成部の厚みを増すように形成されたひだを有する充填物を膨らみ形成部袋体の内部に充填したものであってもよい。
第１部材及び第２部材を含む膨らみ形成部袋体の厚みを増加させるためには、充填物を膨らみ形成部袋体の内部に充填するようにしてもよい。この充填物としては、シート体又は板体（柔軟であり変形可能）の充填物形成部材が、ひだ（畝、谷）を有することにより、膨らみ形成部袋体の厚みを増して対象部分に十分な膨らみを形成するようにしてもよい。
【００１１】
本補助具においては、膨らみ形成部の一部又は全部が基礎部に直接的又は間接的に着脱自在に取り付けられるもの（以下、「着脱自在本補助具」という。）であってもよい。
こうすることで膨らみ形成部を基礎部に取り付けたり取り外したりを自由に行うことができるので（膨らみが必要な位置に膨らみ形成部を自由に配置することができる。）、着用する衣服や着用者の体形に応じ、必要位置に必要な膨らみを的確に形成することができる。なお、膨らみ形成部が複数の別体物からなる場合は、基礎部に着脱自在に取り付けられる膨らみ形成部は、該複数の別体物のうちの一部の別体物としても、また該複数の別体物のうちの全部の別体物としてもよい。また、基礎部に着脱自在に取り付けられる膨らみ形成部を基礎部に着脱自在に取り付ける方法としては、種々のものを用いることができ、特に限定されるものではないが、膨らみ形成部と基礎部との一方に面ファスナーの雄部を取り付けると共に他方に面ファスナーの雌部を取り付けて、これら面ファスナーの雄部と雌部とを係合させる方法、スナップを用いる方法、フックを用いる方法、紐による縛着方法、該一方の一部を該他方に嵌合させる方法等を例示的に挙げることができる。
【００１２】
着脱自在本補助具の場合、膨らみ形成部に面ファスナーの雄部が取り付けられると共に、基礎部に面ファスナーの雌部が取り付けられ、該雄部と該雌部とが係合することで膨らみ形成部が基礎部に着脱自在に取り付けられるものであってもよい。
基礎部に着脱自在に取り付けられる膨らみ形成部と、基礎部と、の一方に面ファスナーの雄部を取り付けると共に、他方に面ファスナーの雌部を取り付けて、これら面ファスナーの雄部と雌部とを係合させて基礎部に膨らみ形成部を着脱自在に取り付ける場合、着脱自在な膨らみ形成部を取り付けずに着脱自在本補助具を用いるときは、基礎部に取り付けられた面ファスナーの係合面が露出した状態になる。このとき基礎部に取り付けられた面ファスナーが雄部であれば、その係合面が他の物（例えば、ドレス、下着等）に接触することで、該雄部が該他の物に不意に係合することで該他の物を傷めることがある。これを防止するため、面ファスナーによって基礎部に膨らみ形成部を着脱自在に取り付ける場合には、基礎部に着脱自在に取り付けられる膨らみ形成部に面ファスナーの雄部を取り付けると共に、基礎部に面ファスナーの雌部を取り付けるようにしてもよい。
【００１３】
本補助具においては、基礎部が前記体に取り付けられた際、前記着用者の真後ろに存する後方膨らみ形成部を膨らみ形成部が含むもの（以下、「後方膨らみ本補助具」という。）であってもよい。
通常の衣服（例えば、ドレス）を、平均的な体形の着用者が着用する場合、該着用者の腰部から臀部の間の部分のうち該着用者の真後ろの部分の張り出し（ボリューム）が不足することが多い。このため着用者の真後ろに存する後方膨らみ形成部を膨らみ形成部が含むようにすれば、かかる該着用者の真後ろの部分の張り出し（ボリューム）を増加させ、効果的に衣服を美しく着用することができる。
【００１４】
後方膨らみ本補助具の場合、基礎部が前記体に取り付けられた際、後方膨らみ形成部に重なるように基礎部又は後方膨らみ形成部に着脱自在に取り付けられる追加後方膨らみ形成部を膨らみ形成部が含んでなるものであってもよい。
前述の如く、平均的な体形の着用者が衣服を着用する際、着用者の真後ろの部分の張り出し（ボリューム）が不足することが多いことから、着用者の体形や衣服によっては、後方膨らみ形成部が形成する張り出しよりもさらに大きな張り出し（ボリューム）を必要とすることがある。この場合に対応するため、後方膨らみ形成部の後方に重なるように基礎部又は後方膨らみ形成部に着脱自在に取り付けられる追加後方膨らみ形成部を膨らみ形成部が含むようにしてもよい。
【００１５】
本補助具においては、基礎部が前記体に取り付けられた際、膨らみ形成部が、前記着用者の右又は左のいずれかに存する側方膨らみ形成部を含むものであってもよい。
衣服を着用者が着用する場合、該着用者の体形や衣服によっては、該着用者の腰部から臀部の間の部分のうち該着用者の右又は左のいずれかの部分の張り出し（ボリューム）が不足することがある。この場合に対応するため、着用者の右又は左のいずれかに存する側方膨らみ形成部を膨らみ形成部が含むようにしてもよい。なお、側方膨らみ形成部は、着用者の右のみに存しても、着用者の左のみに存しても、そして着用者の左右両方に存してもよい。
【００１６】
本補助具においては、基礎部が、前記着用者の前記体に周回され取り付けられる基礎ベルトを含んでなるもの（以下、「ベルト本補助具」という。）であってもよい。
基礎部は、着用者の体に直接的又は間接的に着脱自在に取り付けられるものであり、種々のものを用いることができるが、着用者の体に周回され取り付けられる基礎ベルトとすれば、簡単な構成によって確実かつ容易に着用者の体に着脱自在に取り付けることができる。
【００１７】
ベルト本補助具の場合、基礎ベルトの周回長さが、少なくとも２以上の異なる値を取り得るものであってもよい。
着用者の体に周回され取り付けられる基礎ベルトは、着用者の体形により周回長さが異なるため、着用者の体形に応じて基礎ベルトの周回長さを調節できるようにしておいてもよい。このとき基礎ベルトの周回長さが、少なくとも２以上の異なる値を取り得るようにすれば、該少なくとも２以上の異なる値に調節できる。
【図面の簡単な説明】
【００１８】
【図１】本考案の衣服着用補助具（本補助具）の本体部を示す図である。
【図２】本体部に着脱自在な補助パッド部を示す図（図２（ａ）は左パッド部を示し、図２（ｂ）は右パッド部を示し、そして図２（ｃ）は付加パッド部を示している。）である。
【図３】図１のＡ−Ａ端面図である。
【図４】図２の端面図（図４（ａ）は図２（ａ）のＢ−Ｂ端面図（係止部５８ｂを図示した。）であり、図４（ｂ）は図２（ｃ）のＤ−Ｄ端面図（係止部９８ｂを図示した。）である。）である。
【図５】主パッド部を裏面側から見たところを示す図である。
【図６】左パッド部を裏面側から見たところを示す図である。
【図７】図７（ａ）は図１のＥ−Ｅ端面図であり、そして図７（ｂ）は図１のＦ−Ｆ端面図である。
【図８】本補助具の使用方法の第１ステップを示す図である。
【図９】図９（ａ）は本補助具の使用方法の第２ステップを示す図であり、図９（ｂ）は本補助具の使用方法の第３ステップを示す図である。
【図１０】本補助具の変更使用例を示した図である。
【考案を実施するための形態】
【００１９】
本考案の実施の形態を図面を参照して詳述するが、本考案はこれに限定されるものではない。
【００２０】
図１は、本考案の衣服着用補助具（本補助具）の本体部１１を示す図であり、図２は、本体部１１に着脱自在な補助パッド部を示す図（具体的には、図２（ａ）は左パッド部５１を示し、図２（ｂ）は右パッド部７１を示し、そして図２（ｃ）は付加パッド部９１を示している。）であり、図３は図１のＡ−Ａ端面図であり、図４は図２の端面図（詳細には、図４（ａ）は図２（ａ）のＢ−Ｂ端面図（理解を容易にするため係止部５８ｂを図示した。）であり、図４（ｂ）は図２（ｃ）のＤ−Ｄ端面図（理解を容易にするため係止部９８ｂを図示した。）である。）であり、図５は主パッド部３１を裏面側（図１に現れる面の反対側）から見たところを示す図であり、図６は左パッド部５１を裏面側（図２に現れる面の反対側）から見たところを示す図であり、図７（ａ）は図１のＥ−Ｅ端面図であり、そして図７（ｂ）は図１のＦ−Ｆ端面図である。なお、左パッド部５１及び右パッド部７１は、寸法、形状及び材質のいずれの点からも同一のものであり、図４（ａ）及び図６には左パッド部５１を示しているが、右パッド部７１はこれと同様に構成されている（図４（ａ）及び図６においては、右パッド部７１に係る参照番号をかっこ書きにて示している。このとき図４（ａ）は図２（ｂ）のＣ−Ｃ端面図（理解を容易にするため係止部７８ｂを図示した。）である。）。また、直立した使用者が本体部１１を装着した際、該使用者が認識する「上」、「下」、「右」、「左」をここでは「上」、「下」、「右」、「左」とし、上下方向を矢印Ｈにて、そして「上」を矢印Ｈ１にて、「下」を矢印Ｈ２にて、それぞれ示す。
【００２１】
本体部１１は、大まかには、長手方向Ｌに沿った短冊状（両主表面１４ａ、１４ｂが長細い長方形をなす）の主ベルト部１３と、主ベルト部１３の一端に一端が取り付けられた第１副ベルト部２１と、主ベルト部１３の他端に一端が取り付けられた第２副ベルト部２６と、主ベルト部１３の下縁１３ｂに取り付けられた主パッド部３１と、主ベルト部１３の表面１４ａに下縁１３ｂに沿って取り付けられた面ファスナー（雌部）１５ａ、１５ｂ、１５ｃ、１５ｄ、１５ｅ、１５ｆと、を有してなる。
【００２２】
主ベルト部１３は、表面１４ａ及び裏面１４ｂのいずれも滑り止め加工が施されたメッシュ素材により構成されており（詳細には、両面に滑り止め加工が施されたメッシュ素材を２枚重ねて構成している。）、長手方向Ｌに伸縮自在とされている。そして主ベルト部１３の幅Ｗはここでは約１１ｃｍとされている。こうすることで長手方向Ｌに沿って二つ折り（図１中、一点鎖線Ｑに沿って折る）にして、その後に着用する衣服（例えば、パニエ）のウエストベルト部を挟み込むことが可能になる。このように衣服のウエストベルト部を、二つ折りにした主ベルト部１３が挟み込むことで該衣服のウエストベルト部の滑りが防止され、該衣服のずれ落ちを防止又は減少させることができる。なお、主ベルト部１３はこのように二つ折りにしない場合でも、表面１４ａ及び裏面１４ｂに滑り止め加工が施されているので、表面１４ａに衣服（例えば、パニエ）が当接することで滑りが防止され、該衣服のずれ落ちを防止又は減少させることができる。
そして、主ベルト部１３が長手方向Ｌに伸縮自在（バイアス生地）とされることで、使用者の胴体に周回させた際に楽に着用できる（伸びることで着用時に胴体を締め付けない。）。
また、主ベルト部１３を２枚重ねの素材で形成することで、本体部１１のうち特に傷みが生じやすい主ベルト部１３を堅牢ならしめる。
加えて、ここでは表面１４ａ及び裏面１４ｂは、ほぼ肌色に近い色彩とすることで、上に着用する衣服（例えば、ドレス）が透視性（透けてみえる）を有するものであっても本補助具が目立たない（肌色は、通常の肌の色と近いので清潔感を生じる。）。また、ここでは表面１４ａ及び裏面１４ｂにチェック柄が表されているものとすることで可愛い印象を与え、本補助具の使用者（主として女性）へ着用の喜びを与えることができる。
【００２３】
第１副ベルト部２１は、帯状の布体により構成されており、上述の如く、第１副ベルト部２１の一端が主ベルト部１３の前記一端に取り付けられている。第１副ベルト部２１は、第２副ベルト部２６のフック部２８（後述）が係止されるフック係止部２２ａ、２２ｂ、２２ｃ、２２ｄがその長手方向に沿って等間隔に形成されている。
第２副ベルト部２６は、帯状の布体により構成され、一端が主ベルト部１３の前記他端に取り付けられたベルト布部２７と、ベルト布部２７の他端に取り付けられたフック部２８と、を有してなる。ベルト布部２７は、幅Ｊが約３ｃｍとされる（通常のスカートのベルト幅と同じ程度の幅３ｃｍであり慣れているので、取り扱いが容易である。）と共に、その長手方向に伸縮自在なゴムベルトにより形成されている。フック部２８は、ここでは合成樹脂製であり、上述の如く、フック係止部２２ａ、２２ｂ、２２ｃ、２２ｄのいずれにも係止可能である。なお、フック部２８が異なるフック係止部２２ａ、２２ｂ、２２ｃ、２２ｄに係止されることで、主ベルト部１３と第１副ベルト部２１と第２副ベルト部２６とにより形成される環の周囲長さを変化させ、本補助具の使用者の体形に合わせることができる（具体的には、フック部２８がフック係止部２２ａ、２２ｂ、２２ｃ、２２ｄにそれぞれ係止されると、該周囲長さが、洋服サイズの１１号、９号、７号、５号に対応する。）。また、フック部２８は引っ掛けるタイプのフックとすることで、簡単な構造で十分な強度を保持しやすいことと、かさばらないのでドレス等への干渉（当接、摩擦、引っかかり等）が小さく、ドレス等の損傷を防止又は減少させることができる。
【００２４】
主パッド部３１は、互いに縁部にそって縫い合わされた表部３２及び裏部３３（いずれも優弧と、該優弧の両端を結ぶ線分と、によって規定される同じ形状を有する。なお、該線分に沿っては縫い合わされていない。）と、表部３２及び裏部３３によって形成される内部空間３４に装入された充填物３５と、を有してなり、表部３２と裏部３３との間には内部空間３４を外部空間１０１と連通させる開口３６が形成されている。そして、主パッド部３１の表部３２の上縁３２ｃが主ベルト部１３の下縁１３ｂに取り付けられる（ここでは縫付）ことで、主パッド部３１が主ベルト部１３の下縁１３ｂに取り付けられている。
表部３２及び裏部３３いずれもメッシュ素材により構成されており、表部３２（主パッド部３１の表面３１ａを形成する）及び裏部３３（主パッド部３１の裏面３１ｂを形成する）のいずれも滑り止め加工が施されている。該メッシュ素材は、ここではオレフィン系樹脂材料を用いることで、水分（汗や洗濯）による縮みを防止又は減少させる。また、主パッド部３１の表面３１ａ及び裏面３１ｂは清楚な印象を与える色彩（具体的には、白色に近い肌色）とされている。そして、表部３２には、上下方向Ｈに連続する畝部３９が複数形成されており（いわゆるギャザーと呼ばれるひだ。特に図７参照。）、これによって主パッド部３１の厚みＴ１（ここでは約９ｃｍ）を増加させている。
充填物３５は、ここではハードチュール生地（丈夫な粗いネット状の生地）を波打たせた状態で装入（即ち、内部空間３４よりも大きい生地を波打たせて半分折り畳んだ状態にて小さくして内部空間３４に装入している。なお、ここでは生地を２枚用いている。）して形成している。この充填物３５は、開口３６を経由して内部空間３４に装入したり、内部空間３４から取り出すことができ、これにより主パッド部３１の厚みＴ１を自由に調整することができる（例えば、経年変化により厚みＴ１が減少した場合には、追加の充填物を装入することで厚みＴ１を増加させることもできる。また、充填物３５を内部空間３４から取り出す必要がない場合には、表部３２や裏部３３に縫い付けておいてもよい。）。
なお、ここで主パッド部３１の厚みＴ１を約９ｃｍとしたのは、ドレスの平均的なバック（ヒップ）デザインに合う膨らみを生じさせるためである。
【００２５】
面ファスナー（雌部）１５ａ、１５ｂ、１５ｃ、１５ｄ、１５ｅ、１５ｆは、下縁１３ｂに沿って主ベルト部１３の表面１４ａに取り付けられており（ここでは縫付）、いずれも面ファスナーの雌部を構成するものである。面ファスナー（雌部）１５ａ、１５ｂ、１５ｃ、１５ｄ、１５ｅ、１５ｆは、後述する補助パッド部（左パッド部５１、右パッド部７１及び付加パッド部９１）を取り付ける際、補助パッド部（左パッド部５１、右パッド部７１及び付加パッド部９１）が有する面ファスナーの雄部と係合するものであるが、補助パッド部（左パッド部５１、右パッド部７１及び付加パッド部９１）を取り付けていない状態の本体部１１を使用する場合（面ファスナー（雌部）１５ａ、１５ｂ、１５ｃ、１５ｄ、１５ｅ、１５ｆが露出する）に他の物（例えば、ドレス）が面ファスナー（雌部）１５ａ、１５ｂ、１５ｃ、１５ｄ、１５ｅ、１５ｆに接触しても該他の物に不意に係合等して該他の物を損傷させることを防止又は減少させることができる（仮に、面ファスナー１５ａ、１５ｂ、１５ｃ、１５ｄ、１５ｅ、１５ｆが面ファスナーの雄部とされれば、該他の物に接触すると、該他の物に不意に係合等して該他の物を損傷させる可能性がある。）。
なお、後述の如く、面ファスナー（雌部）１５ａ、１５ｂは左パッド部５１を取り付けるためのものであり、面ファスナー（雌部）１５ｃ、１５ｄは付加パッド部９１を取り付けるためのものであり、面ファスナー（雌部）１５ｅ、１５ｆは右パッド部７１を取り付けるためのものである。
【００２６】
補助パッド部（左パッド部５１、右パッド部７１及び付加パッド部９１）について説明する。
前述の通り、左パッド部５１及び右パッド部７１は、同一のものを用いている。
左パッド部５１は、互いに縁部にそって縫い合わされた表部５２及び裏部５３（いずれも優弧と、該優弧の両端を結ぶ線分と、によって規定される同じ形状を有する。なお、該線分に沿っては縫い合わされていない。）と、表部５２及び裏部５３によって形成される内部空間５４に装入された充填物５５と、を有してなり、表部５２と裏部５３との間には内部空間５４を外部空間１０１と連通させる開口５６が形成されている。
左パッド部５１の表部５２の上縁５２ｃには左右一対の係止部５８ａ、５８ｂが形成されている。係止部５８ａ、５８ｂいずれも、裏面側に面ファスナー（雄部）５９ａ、５９ｂが設けられており、これら面ファスナー（雄部）５９ａ、５９ｂが面ファスナー（雌部）１５ａ、１５ｂに係合することで左パッド部５１が本体部１１に着脱自在に取り付けられる。
表部５２及び裏部５３いずれもメッシュ素材により構成されており、表部５２（左パッド部５１の表面５１ａを形成する）及び裏部５３（左パッド部５１の裏面５１ｂを形成する）のいずれも滑り止め加工が施されている。そして、表部５２には、主パッド部３１の表部３２と同様、上下方向Ｈに連続する畝部５７が複数形成されており（いわゆるギャザーと呼ばれるひだ）、これによって左パッド部５１の厚みＴ２（ここでは約７ｃｍ）を増加させている。
充填物５５は、充填物３５と同様のものにより構成されており、充填物３５と同様にこれを波打たせた状態で装入（即ち、内部空間５４よりも大きい生地を波打たせて折り畳んだ状態で小さくして内部空間５４に装入している。）して形成している。この充填物５５は、開口５６を経由して内部空間５４に装入したり、内部空間５４から取り出すことができ、これにより左パッド部５１の厚みＴ２を自由に調整することができる（例えば、経年変化により厚みＴ２が減少した場合には、追加の充填物を装入することで厚みＴ２を増加させることもできる。また、充填物５５を内部空間５４から取り出す必要がない場合には、表部５２や裏部５３に縫い付けておいてもよい。）。
【００２７】
右パッド部７１は、互いに縁部にそって縫い合わされた表部７２及び裏部７３（いずれも優弧と、該優弧の両端を結ぶ線分と、によって規定される同じ形状を有する。なお、該線分に沿っては縫い合わされていない。）と、表部７２及び裏部７３によって形成される内部空間７４に装入された充填物７５と、を有してなり、表部７２と裏部７３との間には内部空間７４を外部空間１０１と連通させる開口７６が形成されている。
右パッド部７１の表部７２の上縁７２ｃには左右一対の係止部７８ａ、７８ｂが形成されている。係止部７８ａ、７８ｂいずれも、裏面側に面ファスナー（雄部）７９ａ、７９ｂが設けられており、これら面ファスナー（雄部）７９ａ、７９ｂが面ファスナー（雌部）１５ｅ、１５ｆに係合することで右パッド部７１が本体部１１に着脱自在に取り付けられる。
表部７２及び裏部７３いずれもメッシュ素材により構成されており、表部７２（右パッド部７１の表面７１ａを形成する）及び裏部７３（右パッド部７１の裏面７１ｂを形成する）のいずれも滑り止め加工が施されている。そして、表部７２には、主パッド部３１の表部３２と同様、上下方向Ｈに連続する畝部７７が複数形成されており（いわゆるギャザーと呼ばれるひだ）、これによって右パッド部７１の厚みＴ２（ここでは約７ｃｍ）を増加させている。
充填物７５は、充填物３５と同様のものにより構成されており、充填物３５と同様にこれを波打たせた状態で装入（即ち、内部空間７４よりも大きい生地を波打たせて小さく折り畳んだ状態で内部空間７４に装入している。）して形成している。この充填物７５は、開口７６を経由して内部空間７４に装入したり、内部空間７４から取り出すことができ、これにより右パッド部７１の厚みＴ２を自由に調整することができる（例えば、経年変化により厚みＴ２が減少した場合には、追加の充填物を装入することで厚みＴ２を増加させることもできる。また、充填物７５を内部空間７４から取り出す必要がない場合には、表部７２や裏部７３に縫い付けておいてもよい。）。
なお、左パッド部５１及び右パッド部７１の厚みＴ２を約７ｃｍと、主パッド部３１の厚みＴ１（＝約９ｃｍ）よりも小さくしたのは、左右の必要な膨らみが後部の必要な膨らみよりも小さいデザインのドレスが多いためである。左パッド部５１及び右パッド部７１の厚みＴ２を増加させる必要が生じた場合は、開口５６、７６から内部空間５４、７４に充填物を装入することで対応できる。
【００２８】
付加パッド部９１は、互いに縁部にそって縫い合わされた表部９２及び裏部９３（いずれも優弧と、該優弧の両端を結ぶ線分と、によって規定される同じ形状を有する。なお、付加パッド部９１においては、該優弧と該線分との全部に沿って縫い合わされている。）と、表部９２及び裏部９３によって形成される内部空間９４に装入された充填物９５と、を有してなる（付加パッド部９１においては、表部９２と裏部９３との間に内部空間９４を外部空間１０１と連通させる開口は形成されていない。また、付加パッド部９１は、主パッド部３１よりもやや小さく形成することで、ドレスバックスタイルのポイントの位置と合わせる。
付加パッド部９１の表部９２及び裏部９３の上縁９７には左右一対の係止部９８ａ、９８ｂが形成されている。係止部９８ａ、９８ｂいずれも、裏面側に面ファスナー（雄部）９９ａ、９９ｂ（ここでは係止部９８ａの裏面側に形成された面ファスナー（雄部）９９ａは図に現れない。）が設けられており、これら面ファスナー（雄部）９９ａ、９９ｂが面ファスナー（雌部）１５ｃ、１５ｄに係合することで付加パッド部９１が本体部１１に着脱自在に取り付けられる。
表部９２及び裏部９３いずれもメッシュ素材により構成されており、表部９２（付加パッド部９１の表面９１ａを形成する）及び裏部９３（付加パッド部９１の裏面９１ｂを形成する）のいずれも滑り止め加工が施されている。そして、表部９２には、主パッド部３１の表部３２と同様、上下方向Ｈに連続する畝部９６が複数形成されており（いわゆるギャザーと呼ばれるひだ）、これによって付加パッド部９１の厚みＴ３（ここでは約９ｃｍ）を増加させている。
充填物９５は、充填物３５と同様のものにより構成されており、充填物３５と同様にこれを波打たせた状態で装入（即ち、内部空間９４よりも大きい生地を波打たせて折り畳んで小さくして内部空間９４に装入している。）して形成している。
付加パッド部９１は、後述の如く、主パッド部３１のみでは後部の膨らみが不足する場合や、主パッド部３１の厚みＴ１が経年変化により減少したような場合に装着するものである。
【００２９】
次いで、本補助具の使用方法について説明する。
図８は、本補助具の使用方法の第１ステップを示す図であり、詳細には、図８（ａ）は本補助具の使用者２０１を前方から見たところを示す図（一部を示す部分図）であり、図８（ｂ）は図８（ａ）の状態を使用者２０１の左後方から見たところを示す図（一部を示す部分図）である。図８を参照して、本補助具の使用方法の第１ステップについて説明する。
まず、本補助具の使用者２０１は、ここではドレス用下着３０１及びペチコート３０３を着用するが、これに限定されるものではなく、後で着用するドレス（図８にて不図示）に応じ、種々のものを着用してよい。
そして、面ファスナー（雄部）５９ａ、５９ｂと面ファスナー（雌部）１５ａ、１５ｂとを係合させると共に、面ファスナー（雄部）７９ａ、７９ｂと面ファスナー（雌部）１５ｅ、１５ｆとを係合させることで、本体部１１に左パッド部５１及び右パッド部７１を取り付ける。
【００３０】
次いで、本体部１１の主ベルト部１３、第１副ベルト部２１及び第２副ベルト部２６を使用者２０１の胴体（ウエスト部）に周回させる。このとき主ベルト部１３の下縁１３ｂが、使用者２０１のウエスト部（ウエストライン）に沿うように本体部１１を配置することで、確実かつ容易に本補助具を正しい位置に装着できる（加えて、使用者２０１のウエスト部（ウエストライン）の位置が主ベルト部１３により明確になるので、ウエスト部（ウエストライン）の位置が基準となるその後の着用（例えば、後述のパニエ）を容易ならしめる。）。第１副ベルト部２１及び第２副ベルト部２６を使用者２０１の胴体（ウエスト部）に周回させた後、フック部２８をフック係止部２２ａ、２２ｂ、２２ｃ、２２ｄのいずれかに係止させる。かかる状態を図８は図示したものである。
このようにして装着した本補助具においては、フック部２８が、使用者２０１の前面の中心部から外れた位置に位置（ここでは中心部よりもやや左に位置しているが、右に位置するようにしてもよい。）しているので、使用者２０１が身体を動かしても腹部等への干渉（衝突、摩擦、当接等）が生じにくく、本補助具の使用を快適ならしめる。
なお、ここでは本体部１１を使用者２０１が装着する前に、予め本体部１１に左パッド部５１及び右パッド部７１を取り付けたが、これに限定されるものではなく、左パッド部５１及び右パッド部７１を取り付けていない本体部１１を使用者２０１が装着した後に左パッド部５１及び右パッド部７１を本体部１１に取り付けるようにしてもよい。
【００３１】
図９（ａ）は、本補助具の使用方法の第２ステップを示す図であり、使用者２０１の左後方から見たところを示す図（一部を示す部分図）である。図９（ａ）を参照して、本補助具の使用方法の第２ステップについて説明する。
前述の第１ステップにおいて使用者２０１（ドレス用下着３０１及びペチコート３０３着用）が本補助具を装着した後、第２ステップにおいてはさらにパニエ３０５を着用する。図９（ａ）に図示の通り、パニエ３０５は、本補助具の主パッド部３１、左パッド部５１及び右パッド部７１の全てを覆うように着用する。なお、図９（ａ）は、パニエ３０５の着用途中の状態を示しているが、パニエ３０５のベルト部３０５ｂを胴体に周回させ係止することでパニエ３０５の着用を完了する。
【００３２】
図９（ｂ）は、本補助具の使用方法の第３ステップを示す図であり、使用者２０１の左後方から見たところを示す図（一部を示す部分図）である。図９（ｂ）を参照して、本補助具の使用方法の第３ステップについて説明する。
第２ステップにおいて使用者２０１がパニエ３０５を着用した後、第３ステップにおいてはさらにドレス３０７を着用する。ドレス３０７は、従来通り、パニエ３０５の上（ドレス３０７がパニエ３０５を覆うよう）に着用する。これによって本補助具をうまく使用することができる（ドレス３０７を着用した際、使用者２０１の腰部の後方（主パッド部３１）、左方（左パッド部５１）及び右方（右パッド部７１）に必要なボリュームを付加し、ドレス３０７を美しく着用することができる。）。
【００３３】
上述の第１ステップにおいては、左パッド部５１及び右パッド部７１を本体部１１に取り付けた本補助具を用いているが、これに限定されるものではなく、本補助具においては種々の変更が可能である。
図１０は、本補助具の変更の一例を示した図である。図１０を参照して、本補助具の変更使用例を説明する。
図１０（ａ）は、ドレス用下着３０１及びペチコート３０３を着用した使用者２０１は、付加パッド部９１、左パッド部５１及び右パッド部７１を本体部１１に取り付けた本補助具を装着している。この後、上述の第２ステップ及び第３ステップのように、パニエ３０５及びドレス３０７を着用すればよい。このように付加パッド部９１を取り付けた本補助具を装着することで、付加パッド部９１がない場合に比し、腰部（臀部）後方中央の盛り上がりを大きくすることができる。
【００３４】
図１０（ｂ）は、ドレス用下着３０１及びペチコート３０３を着用した使用者２０１は、付加パッド部９１、左パッド部５１及び右パッド部７１のいずれも取り付けていない本補助具を装着している。この後、上述の第２ステップ及び第３ステップのように、パニエ３０５及びドレス３０７を着用すればよい。このように本体部１１に補助パッド部（左パッド部５１、右パッド部７１及び付加パッド部９１）を全く取り付けていない本補助具を装着することで、臀部後方中央の盛り上がりを保ったまま、左右の盛り上がりを減少させることができる。
また、ここには図示していないが、図１０（ｂ）の本補助具に付加パッド部９１を取り付けたものを用いることもできるし、場合によっては、左パッド部５１及び右パッド部７１のいずれか一方のみを取り付けることもできる。
以上の通り、本補助具は、ドレス３０７を着用する際、腰部（臀部）後方中央（付加パッド部９１）、腰部左側（左パッド部５１）、腰部右側（右パッド部７１）の必要な膨らみに応じて、様々に変更して用いることができる。
【００３５】
以上説明の通り、本考案の衣服着用補助具（本補助具）は、衣服（ここではドレス３０７）を着用する着用者（ここでは使用者２０１）が、該着用者（使用者２０１）の体と該衣服（ドレス３０７）との間に装着することで、該着用者（使用者２０１）の腰部から臀部の間の部分の少なくとも一部である対象部分に膨らみを形成するための衣服着用補助具であって、該着用者（使用者２０１）の該体に直接又は間接に着脱自在に取り付けられる基礎部（ここでは主ベルト部１３、第１副ベルト部２１及び第２副ベルト部２６を含んで構成される。）と、基礎部（主ベルト部１３、第１副ベルト部２１及び第２副ベルト部２６）が該体に取り付けられた際、対象部分に面するよう基礎部（主ベルト部１３、第１副ベルト部２１及び第２副ベルト部２６）に取り付けられる膨らみ形成部（ここでは主パッド部３１、左パッド部５１、右パッド部７１及び付加パッド部９１を含んでなる。）と、を備えてなる、衣服着用補助具である。
【００３６】
本補助具においては、膨らみ形成部（主パッド部３１、左パッド部５１、右パッド部７１及び付加パッド部９１）は、柔軟なシート体又は板体である第１部材（表部３２、表部５２、表部７２、表部９２）及び第２部材（裏部３３、裏部５３、裏部７３、裏部９３）が、第１部材（表部３２、表部５２、表部７２、表部９２）の内面と第２部材（裏部３３、裏部５３、裏部７３、裏部９３）の内面とが互いに面し、第１部材（表部３２、表部５２、表部７２、表部９２）の縁部の少なくとも一部と、第２部材（裏部３３、裏部５３、裏部７３、裏部９３）の縁部の少なくとも一部と、が互いに取り付けられて形成された袋体である膨らみ形成部袋体を有するものである。
本補助具においては、第１部材（表部３２、表部５２、表部７２、表部９２）及び第２部材（裏部３３、裏部５３、裏部７３、裏部９３）の少なくとも一方（ここでは第１部材）が、膨らみ形成部袋体の厚みを増すように形成されたひだ（畝部３９が複数形成されたギャザーと呼ばれるひだ、畝部５７が複数形成されたギャザーと呼ばれるひだ、畝部７７が複数形成されたギャザーと呼ばれるひだ、畝部９６が複数形成されたギャザーと呼ばれるひだ）を有するものである。
【００３７】
本補助具においては、膨らみ形成部袋体が、第１部材（表部３２、表部５２、表部７２）の内面と第２部材（裏部３３、裏部５３、裏部７３）の内面との間である内部（内部空間３４、内部空間５４、内部空間７４）に通じる開口である袋体開口（開口３６、開口５６、開口７６）を有するものである。
本補助具においては、膨らみ形成部（主パッド部３１、左パッド部５１、右パッド部７１及び付加パッド部９１）の厚みを増すように形成されたひだ（波打たせた状態）を有する充填物３５、５５、７５、９５を膨らみ形成部袋体の内部（内部空間３４、内部空間５４、内部空間７４、内部空間９４）に充填したものである。
本補助具においては、膨らみ形成部（主パッド部３１、左パッド部５１、右パッド部７１及び付加パッド部９１）の一部又は全部（ここでは一部である左パッド部５１、右パッド部７１及び付加パッド部９１）が基礎部（主ベルト部１３、第１副ベルト部２１及び第２副ベルト部２６）に直接的又は間接的（ここでは直接的）に着脱自在に取り付けられるものである。
本補助具においては、基礎部（主ベルト部１３、第１副ベルト部２１及び第２副ベルト部２６）に直接的又は間接的に着脱自在に取り付けられる膨らみ形成部（左パッド部５１、右パッド部７１及び付加パッド部９１）に面ファスナーの雄部（面ファスナー（雄部）５９ａ、５９ｂ、面ファスナー（雄部）７９ａ、７９ｂ、面ファスナー（雄部）９９ａ、９９ｂ）が取り付けられると共に、基礎部（主ベルト部１３、第１副ベルト部２１及び第２副ベルト部２６）に面ファスナーの雌部（面ファスナー（雌部）１５ａ、１５ｂ、１５ｃ、１５ｄ、１５ｅ、１５ｆ）が取り付けられ、該雄部（面ファスナー（雄部）５９ａ、５９ｂ、面ファスナー（雄部）７９ａ、７９ｂ、面ファスナー（雄部）９９ａ、９９ｂ）と該雌部（面ファスナー（雌部）１５ａ、１５ｂ、１５ｃ、１５ｄ、１５ｅ、１５ｆ）とが係合することで膨らみ形成部（左パッド部５１、右パッド部７１及び付加パッド部９１）が基礎部（主ベルト部１３、第１副ベルト部２１及び第２副ベルト部２６）に着脱自在に取り付けられるものである。
【００３８】
本補助具においては、基礎部（主ベルト部１３、第１副ベルト部２１及び第２副ベルト部２６）が前記体（使用者２０１の体）に取り付けられた際、前記着用者（使用者２０１）の真後ろに存する後方膨らみ形成部（ここでは主パッド部３１）を膨らみ形成部（主パッド部３１、左パッド部５１、右パッド部７１及び付加パッド部９１）が含むものである。
本補助具においては、基礎部（主ベルト部１３、第１副ベルト部２１及び第２副ベルト部２６）が前記体（使用者２０１の体）に取り付けられた際、後方膨らみ形成部（主パッド部３１）に重なるように基礎部（主ベルト部１３、第１副ベルト部２１及び第２副ベルト部２６）又は後方膨らみ形成部（主パッド部３１）に着脱自在に取り付け（ここでは基礎部の主ベルト部１３に着脱自在に取り付け）られる追加後方膨らみ形成部（ここでは付加パッド部９１）を膨らみ形成部（主パッド部３１、左パッド部５１、右パッド部７１及び付加パッド部９１）が含んでなる。
本補助具においては、基礎部（主ベルト部１３、第１副ベルト部２１及び第２副ベルト部２６）が前記体（使用者２０１の体）に取り付けられた際、膨らみ形成部（主パッド部３１、左パッド部５１、右パッド部７１及び付加パッド部９１）が、前記着用者（使用者２０１）の右又は左のいずれかに存する側方膨らみ形成部（ここでは左パッド部５１、右パッド部７１）を含むものである。
【００３９】
本補助具においては、基礎部（主ベルト部１３、第１副ベルト部２１及び第２副ベルト部２６）が、前記着用者（使用者２０１）の前記体に周回され取り付けられる基礎ベルト（主ベルト部１３、第１副ベルト部２１及び第２副ベルト部２６）を含んでなる。
本補助具においては、基礎ベルト（主ベルト部１３、第１副ベルト部２１及び第２副ベルト部２６）の周回長さが、少なくとも２以上の異なる値を取り得るものである（ここではフック部２８が異なるフック係止部２２ａ、２２ｂ、２２ｃ、２２ｄに係止されることで、主ベルト部１３と第１副ベルト部２１と第２副ベルト部２６とによる周囲長さが４の異なる値を取り得る。）。
【符号の説明】
【００４０】
１１            （本補助具）の本体部
１３            主ベルト部
１３ｂ          下縁
１４ａ          表面
１４ｂ          裏面
１５ａ、１５ｂ、１５ｃ、１５ｄ、１５ｅ、１５ｆ  面ファスナー（雌部）
２１            第１副ベルト部
２２ａ、２２ｂ、２２ｃ、２２ｄ  フック係止部
２６            第２副ベルト部
２７            ベルト布部
２８            フック部
３１            主パッド部
３１ａ          表面
３１ｂ          裏面
３２            表部
３２ｃ          上縁
３３            裏部
３４            内部空間
３５            充填物
３６            開口
３９            畝部
５１            左パッド部
５１ａ          表面
５１ｂ          裏面
５２            表部
５２ｃ          上縁
５３            裏部
５４            内部空間
５５            充填物
５６            開口
５７            畝部
５８ａ、５８ｂ  係止部
５９ａ、５９ｂ  面ファスナー（雄部）
７１            右パッド部
７１ａ          表面
７１ｂ          裏面
７２            表部
７２ｃ          上縁
７３            裏部
７４            内部空間
７５            充填物
７６            開口
７７            畝部
７８ａ、７８ｂ  係止部
７９ａ、７９ｂ  面ファスナー（雄部）
９１            付加パッド部
９１ａ          表面
９１ｂ          裏面
９２            表部
９３            裏部
９４            内部空間
９５            充填物
９６            畝部
９７            上縁
９８ａ、９８ｂ  係止部
９９ａ、９９ｂ  面ファスナー（雄部）
１０１            外部空間
２０１            使用者
３０１            ドレス用下着
３０３            ペチコート
３０５            パニエ
３０５ｂ          ベルト部
３０７            ドレス
【図１】
0003201341.tif 000003
【図２】
0003201341.tif 000004
【図３】
0003201341.tif 000005
【図４】
0003201341.tif 000006
【図５】
0003201341.tif 000007
【図６】
0003201341.tif 000008
【図７】
0003201341.tif 000009
【図８】
0003201341.tif 000010
【図９】
0003201341.tif 000011
【図１０】
0003201341.tif 000012